(57)【要約】【課題】  電子機器を収納する箱体にパネルをラッチ部材で着脱するラックにおいて、ラッチ部材の爪を外す動作とパネルを持ち上げる動作とを連続的に行い、パネルの取り外し作業を容易にする。【解決手段】  パネル６にラッチ部材９を爪１５の係脱方向へスライド可能に組み付ける。ラッチ部材９にパネル６の取付孔１１を塞ぐフランジ部１２と、取付孔１１を通過可能なボス部１３とを一体形成する。フランジ部１２の表面に把手１４を凹設し、ボス部１３の一側面に爪１５を突設する。ボス部１３の他側面とパネル６との間に巻バネ１９を介装し、巻バネ１９のバネ力で爪１５を箱体２の支柱４に係合する方向へ付勢する。【選択図】        図３
2007126935.tif 000002
【特許請求の範囲】
【請求項１】
電子機器を収納する箱体の外面をパネルで覆い、パネルにラッチ部材を設け、ラッチ部材の爪を箱体に係脱して、パネルを箱体に着脱可能に取り付けたラックにおいて、ラッチ部材に爪と把手を一体的に設け、ラッチ部材をパネルに爪の係脱方向へスライド可能に組み付けたことを特徴とするラック。
【請求項２】
前記把手をラッチ部材の表面に凹設した請求項１記載のラック。
【請求項３】
前記ラッチ部材に爪を係合方向へ付勢するバネ部材を設けた請求項２記載のラック。
【請求項４】
前記ラッチ部材がパネルの取付孔を塞ぐフランジ部と、該取付孔を通過可能なボス部とを備え、ボス部の内側に把手を形成し、ボス部とパネルとの間にバネ部材を介装し、バネ部材と反対側のボス部に爪を突設し、ボス部を爪によってパネルに抜け止めした請求項３記載のラック。
【発明の詳細な説明】
【技術分野】
【０００１】
本発明は、電子機器を収納するためのラックに関する。
【背景技術】
【０００２】
この種のラックは、一般に、電子機器を収納する箱体の前面に扉が設けられ、側面と背面とがパネルで覆われている。ラックの据付け又は機器のメンテナンスを容易にするために、従来、パネルを箱体に着脱可能に取り付けたラックが知られている。例えば、図６（ａ）に示す従来のラック５０は、箱体５１に上側係合部５２と下側係合部５３とを設け、パネル５４にラッチ錠５５と下端掛止部５６とを設け、下端掛止部５６を下側係合部５３に引っ掛けた状態で、ラッチ錠５５の爪５７を上側係合部５２に係脱することにより、パネル５４を箱体５１に着脱できるように構成されている。
【０００３】
なお、特許文献１、特許文献２には、ラッチ錠を用いてパネルを箱体に着脱する構造のラックが記載されている。
【特許文献１】特許第２８８７２５０号公報
【特許文献２】特許第３０５３３８５号公報
【発明の開示】
【発明が解決しようとする課題】
【０００４】
ところが、従来のラック５０によると、パネル５４を取り外す際に、図６（ｂ）に示すようにラッチ錠５５の爪５７を外す動作と、両手をラッチ錠５５からパネル５４の左右両側に移す動作と、図５（ｃ）に示すように傾いたパネル５４の左右両側部分を掴んで持ち上げる動作とが必要であった。また、爪５７を外してもパネル５４が傾いてこない場合は、掴むところを作るために、箱体５１の内側からパネル５４を外に押し出す動作も必要になり、総じてパネル５４の取り外しに時間と手間がかかるという問題点があった。
【０００５】
本発明は上記問題点に鑑みてなされたものであり、その目的は、ラッチ部材の爪を外す動作とパネルを持ち上げる動作とを連続的に行い、箱体からパネルを短時間かつ簡単に取り外すことができるラックを提供することにある。
【課題を解決するための手段】
【０００６】
上記の課題を解決するために、本発明のラックは以下のように構成したことを特徴とする。
（１）電子機器を収納する箱体の外面をパネルで覆い、パネルにラッチ部材を設け、ラッチ部材の爪を箱体に係脱して、パネルを箱体に着脱可能に取り付けたラックにおいて、ラッチ部材に爪と把手を一体的に設け、ラッチ部材をパネルに爪の係脱方向へスライド可能に組み付ける。
【０００７】
（２）把手をラッチ部材の表面に凹設する。
（３）ラッチ部材に爪を係合方向へ付勢するバネ部材を設ける。
（４）ラッチ部材がパネルの取付孔を塞ぐフランジ部と、取付孔を通過可能なボス部とを備え、ボス部の内側に把手を形成し、ボス部とパネルとの間にバネ部材を介装し、バネ部材と反対側のボス部に爪を突設し、ボス部を爪によってパネルに抜け止めする。
【発明の効果】
【０００８】
本発明のラックは、次のような効果を発揮する。
（１）スライド可能なラッチ部材に爪と把手を一体的に設けたので、把手に手を掛けてラッチ部材をスライドし、爪を箱体から外した後に、手を把手に掛けたままの状態で、パネルを直ちに持ち上げることができる。従って、爪を外す動作とパネルを持ち上げる動作とを連続的に行い、箱体からパネルを短時間かつ簡単に取り外すことができる。
【０００９】
（２）把手をラッチ部材の表面に凹設したので、パネルを楽に持ち上げて運搬できるとともに、パネル取付時に箱体とパネルとの間に手を挟み込むおそれがない。
（３）バネ部材が爪を係合方向へ付勢するので、パネル取付時に爪を箱体に自動的かつ確実に掛止することができる。
（４）ラッチ部材のボス部の両側にバネ部材と爪を配設したので、バネ部材および爪をラッチ部材の組み付けに利用でき、ネジ等の別部品を用いることなく、ラッチ部材をパネルにワンタッチで組み付けることができる。
【発明を実施するための最良の形態】
【００１０】
以下、本発明の実施形態を図面に基づいて説明する。まず、図１〜図３を参照してラックの特徴的な構成について説明する。このラック１は、電子機器を収納する箱体２の側面をパネル６で覆い、パネル６にラッチ部材９を設け、ラッチ部材９の爪１５を支柱４に係脱して、パネル６を箱体２に着脱可能に取り付けて構成されている。
【００１１】
ラッチ部材９は、パネル６の取付孔１１を塞ぐフランジ部１２と、取付孔１１を通過可能なボス部１３とを一体的に備え、パネル６に対し爪１５の係脱方向へスライド可能に組み付けられている。フランジ部１２の表面には把手１４が凹設され、ボス部１３の一側面に爪１５が突設され、ボス部１３の他側面とパネル６との間に巻バネ１９が介装されている。そして、爪１５が巻バネ１９により支柱４に係合する方向へ付勢され、ボス部１３が爪１５によってパネル６に抜け止めされている。
【実施例】
【００１２】
次に、ラック１の詳細な構成を実施例に従って説明する。図１に示すように、ラック１の箱体２は、底枠３と四本の支柱４と天枠５とによって縦長直方体形状に組み立てられている。箱体２の前面は扉（図示略）で開閉可能に覆われ、箱体２の左右両側面と背面とがパネル６によって覆われている。パネル６には、底枠３に掛止される下端掛止縁７と、天枠５に掛止される左右一対の小型のラッチ錠８と、支柱４に掛止される左右一対のラッチ部材９とが設けられている。
【００１３】
図２、図３に示すように、パネル６には、その重心より僅かに高い位置にラッチ部材９を取り付けるための取付孔１１が透設されている。ラッチ部材９は、再生プラスチック材料を用いて成形され、パネル６の表面に接合して取付孔１１を塞ぐフランジ部１２と、取付孔１１を通過可能な大きさのボス部１３とを一体的に備えている。なお、左右のラッチ部材９のボス部１３は、突端側が互いに接近するように（図５参照）、パネル６に対して傾いた状態で形成されている。
【００１４】
フランジ部１２の表面には、作業者が手を掛ける把手１４がボス部１３の内側に広がるように凹設されている。ボス部１３の一側面には、支柱４に掛止される爪１５が一体的に突設され、爪１５に支柱４の端面に当接するストッパ１６が立設されている。爪１５の反対側において、ボス部１３にはカバー１７とリテーナ１８とが形成され、カバー１７とボス部１３との間に巻バネ１９が収められ、リテーナ１８で定位置に保持されている。巻バネ１９の一端は取付孔１１の周面に引っ掛けられ、爪１５が巻バネ１９のバネ力によって支柱４に係合する方向へ付勢されている。
【００１５】
図４に示すように、ラッチ部材９は巻バネ１９を介してパネル６に爪１５の係脱方向へスライド可能に組み付けられている。組み付けに際しては、図４（ａ）に示すように、ラッチ部材９を傾けた状態で、ボス部１３を取付孔１１に挿入する。そして、図４（ｂ）に示す状態で、巻バネ１９のバネ力を解放し、ラッチ部材９を爪１５側へスライドさせる。すると、図４（ｃ）に示すように、ボス部１３の基部が取付孔１１の周面に当接し、フランジ部１２が取付孔１１を塞ぎ、爪１５がストッパ１６を介してボス部１３をパネル６に抜け止めする。従って、ネジ等の別部品を使用することなく、ラッチ部材９をパネル６にワンタッチで組み付けることができる。
【００１６】
上記構成のラック１において、パネル６を箱体２から取り外す場合は、まず、パネル６上部のラッチ錠８（図１参照）を天枠５から解除する。次に、図５（ａ）に示すように、左右のラッチ部材９の把手１４に手を掛け、両ラッチ部材９をパネル６の中央側へスライドし、爪１５を左右の支柱４から外す。続いて、図５（ｂ）に示すように、把手１４を手前に引いてパネル６を傾けたのち（図６ｃに示す状態）、把手１４を持ち上げてパネル６の下端掛止縁７を底枠３から引き抜く。パネル６が傾いてこない場合は、把手１４を強く引いてパネル６を箱体２から引き離す。
【００１７】
こうすれば、作業者は把手１４に手を掛けたままの状態で、爪外し動作とパネル引き離し動作とパネル持上げ動作とを瞬時に連続させて、パネル６を箱体２から短時間かつ容易に取り外すことができる。また、把手１４がボス部１３の内側に形成されているので、作業者は力を入れやすく、パネル６を楽に持ち上げて運搬することができる。特に、ラッチ部材９がパネル６の重心より高い位置に設けられるため、取外後のパネル６の姿勢を安定させることができ、狭い設置場所でも、パネル６を周辺部材に当てることなく安全に運搬できる。
【００１８】
パネル６を箱体２に取り付ける場合は、把手１４に手を掛けてパネル６を持ち上げ、下端掛止縁７を底枠３に掛止し、パネル６を垂直に立てた後に、ラッチ錠８を天枠５に掛止する。このとき、ラッチ部材９では、巻バネ１９の付勢力で爪１５が支柱４に自動的に掛止されるので、特別な操作を省くことができるうえ、爪１５を掛け忘れるおそれもない。また、把手１４がラッチ部材９に凹設され、ボス部１３が作業者の手を保護しているため、パネル６と支柱４との間に手を挟み込む心配もない。
【００１９】
なお、本発明は上記実施例に限定されるものではなく、例えば以下のように、発明の趣旨から逸脱しない範囲で適宜変更して具体化することもできる。
（１）図１に示すパネル６において、上部のラッチ錠８を省略すること。この場合は、天枠５にパネル６の上端縁を掛止するスリット又は突起を設ける。この構成によれば、作業者はラッチ部材９の把手１４から手を離すことなく、パネル６を箱体２に着脱することができる。
（２）上記実施例のラッチ部材９を箱体２の背面を覆うパネルに適用すること。
（３）巻バネ１９にかえ、ラッチ部材９の一部に一体形成した弾性片をバネ部材として用いること。
【図面の簡単な説明】
【００２０】
【図１】本発明の一実施例を示すラックの斜視図である。
【図２】ラッチ部材をパネルから分解して示す斜視図である。
【図３】ラッチ部材の取付構造を示す断面図である。
【図４】ラッチ部材の組付方法を示す断面図である。
【図５】パネルを取り外すときのラッチ部材の作用を示す断面図である。
【図６】従来のラックを示す断面図である。
【符号の説明】
【００２１】
１    ラック
２    箱体
６    パネル
９    ラッチ部材
１１    取付孔
１２    フランジ部
１３    ボス部
１４    把手
１５    爪
１９    巻バネ
【図１】
2007126935.tif 000003
【図２】
2007126935.tif 000004
【図３】
2007126935.tif 000005
【図４】
2007126935.tif 000006
【図５】
2007126935.tif 000007
【図６】
2007126935.tif 000008